(57)【要約】【課題】  通信機能付き測定器、診断装置、および監視端末を備えた監視システムにおいて、監視端末により測定条件および診断条件が容易に変更できて、監視対象物の使用条件等に変更が生じても適切な測定および診断が行えるようにする。【解決手段】通信ネットワーク１を介して接続された診断装置２、監視端末３、および通信機能付き測定器４を備える。通信機能付き測定器４は、監視対象物５を測定する測定用センサ６と、測定制御手段１０と、測定データを診断装置２へ送信しかつ監視端末３から測定条件指示情報Ｆ１を受信する通信処理手段１１とを有する。診断装置２は、測定データにより監視対象物５の異常診断を設定された診断条件に応じて行う診断手段１７と、診断条件を監視端末３から変更可能な診断条件変更手段１９とを有する。監視端末３は、測定条件指示情報Ｆ１を作成して通信機能付き測定器４へ送信し、診断条件Ｆ２を診断装置２へ送信する。【選択図】        図２
2014225080.tif 000002
【特許請求の範囲】
【請求項１】
互いに通信ネットワークを介して接続された診断装置、監視端末、および複数の通信機能付き測定器を備え、
前記各通信機能付き測定器は、監視対象物の状態を測定する測定用センサと、この測定用センサによる測定を設定された測定サイクル毎に行わせかつ前記測定サイクルを含む測定条件を測定条件指示情報によって変更可能な測定制御手段と、前記測定用センサで測定した測定データを前記診断装置へ送信しかつ前記監視端末から前記測定条件指示情報を受信して前記測定制御手段へ渡す通信処理手段とを有し、
前記診断装置は、前記通信機能付き測定器から送られた測定データを受信して保存する測定データ受信手段と、この保存された測定データにより前記監視対象物の異常診断を設定された診断条件に応じて行う診断手段と、前記設定診断条件を前記監視端末から送られた診断条件によって変更可能な診断条件変更手段と、前記診断手段による診断結果を前記監視端末へ送る診断結果送信手段とを有し、
前記監視端末は、前記測定条件指示情報を作成して前記通信機能付き測定器へ送信する測定指示手段と、前記診断条件を作成して前記診断装置へ送信する診断条件指示手段と、前記診断結果を前記診断装置から受信して表示装置に表示させる診断結果受信手段とを有する、
ことを特徴とする監視システム。
【請求項２】
請求項１記載の監視システムにおいて、前記監視端末が前記通信機能付き測定器へ送信する前記測定条件指示情報として、測定を開始させる監視開始指示、前記測定サイクル、およびこの測定サイクル以外の任意の時点で前記測定を行わせる任意時測定指示を含み、前記監視端末が前記診断装置へ送信する前記診断条件に、前記診断手段による異常診断時に異常と判定する閾値を含む監視システム。
【請求項３】
請求項２に記載の監視システムにおいて、前記監視端末は、前記各通信機能付き測定器に付された識別情報を含む診断結果要求信号を前記診断装置へ送信する診断結果要求手段を有し、前記診断装置の前記診断結果送信手段は、前記診断結果要求信号の前記識別情報で特定される通信機能付き測定器からの測定データについての診断結果を前記監視端末へ送信する監視システム。
【請求項４】
請求項２または請求項３に記載の監視システムにおいて、前記監視端末の前記測定指示手段および前記診断条件指示手段は、入力されたキーワードが許可条件に合致するか否かを確認し、合致する場合にのみ、前記測定条件指示情報の変更、および前記診断条件の変更を許可する監視システム。
【請求項５】
互いに通信ネットワークを介して監視端末、および複数の通信機能付き測定器に接続される診断装置であって、
前記通信機能付き測定器から送られた測定データを受信して保存する測定データ受信手段と、この保存された測定データにより前記監視対象物の異常診断を設定された診断条件に応じて行う診断手段と、前記設定診断条件を前記監視端末から送られた診断条件によって変更可能な診断条件変更手段と、前記診断手段による診断結果を前記監視端末へ送る診断結果送信手段とを有する、
ことを特徴する診断装置。
【請求項６】
互いに通信ネットワークを介して通信機能付き測定器および診断装置に接続される監視端末であって、
測定条件指示情報を作成して前記通信機能付き測定器へ送信する測定指示手段と、診断条件を作成して前記診断装置へ送信する診断条件指示手段と、前記診断結果を前記診断装置から受信して表示装置に表示させる診断結果受信手段とを有する、
ことを特徴とする監視端末。
【発明の詳細な説明】
【技術分野】
【０００１】
この発明は、軸受，駆動装置等の監視対象物の状態を定期的に測定して、遠隔地から監視対象物の異常状態を診断する監視システム、並びにその診断装置および監視端末に関し、監視対象物に応じた診断ができて、きめ細かく監視できるようにした技術に関する。
【背景技術】
【０００２】
遠距離にある機械の状態を測定しこのデータを管理するシステムとして、特許文献１が提案されている。これは、異常判断として取り込んだ測定データと閾値比較を行い機械の異常を診断させるものである。
【先行技術文献】
【特許文献】
【０００３】
【特許文献１】特開２００２−８１７９号公報
【発明の概要】
【発明が解決しようとする課題】
【０００４】
特許文献１は、測定データをインターネットによりサーバへ保存させ、監視対象物の測定値を閾値と比較して状態の検知を行うもので、端末で確認することも可能となる。
しかし、監視対象物の異常は、工程変更などで同じ監視対象物でも使用条件の違いや使用方法の違いにより異常と判断する程度が異なる事態が生じることがある。この場合、閾値や測定サイクルを変化させる必要があるが、診断装置に設けたソフトウェアの変更により閾値を変更したり、監視対象物に対して設けた測定器のソフトウェアの変更により測定サイクルを変化させるのでは手間が発生する。
また、任意の時に状態の確認として測定することができないという問題点がある。さらに、変更可能としても任意の人が変更しては、管理ができなくなる。
なお、前記閾値も測定データから設定させるものが提案されているが、上記と同様な問題点がある。
【０００５】
この発明の目的は、通信機能付き測定器、診断装置、および監視端末を備えた監視システムにおいて、監視端末により測定条件および診断条件が容易に変更できて、監視対象物の使用条件等に変更が生じても適切な測定および診断が行える監視システム、およびその診断装置、監視端末を提供することである。
この発明の他の目的は、任意のときに現在の状況の確認として監視端末の指示により測定が行えるようにすることである。
この発明のさらに他の目的は、特定管理者のみが測定条件および診断条件の変更を行えるようにして、診断の管理の信頼性を確保することである。
【課題を解決するための手段】
【０００６】
この発明の監視システムは、互いに通信ネットワーク１を介して接続された診断装置２、監視端末３、および複数の通信機能付き測定器４を備え、
前記各通信機能付き測定器４は、監視対象物５の状態を測定する測定用センサ６と、この測定用センサ６による測定を設定された測定サイクル毎に行わせかつ前記測定サイクルを含む測定条件を測定条件指示情報Ｆ１によって変更可能な測定制御手段１０と、前記測定用センサ６で測定した測定データを前記診断装置２へ送信しかつ前記監視端末３から前記測定条件指示情報Ｆ１を受信して測定制御手段１０へ渡す通信処理手段１１とを有し、
前記診断装置２は、前記通信機能付き測定器４から送られた測定データを受信して保存する測定データ受信手段１６と、この保存された測定データにより前記監視対象物５の異常診断を設定された診断条件に応じて行う診断手段１７と、前記設定診断条件を前記監視端末３から送られた診断条件Ｆ２によって変更可能な診断条件変更手段１９と、前記診断手段１７による診断結果を前記監視端末３へ送る診断結果送信手段１８とを有し、
前記監視端末３は、前記測定条件指示情報Ｆ１を作成して前記通信機能付き測定器４へ送信する測定指示手段２４と、前記診断条件Ｆ２を作成して前記診断装置２へ送信する診断条件指示手段２５と、前記診断結果を前記診断装置２から受信して表示装置２３に表示させる診断結果受信手段２７とを有する、ことを特徴とする。
前記監視対象物５は、例えば、軸受やモータ等の機械部品である。前記測定用センサ６は、例えば振動を測定するセンサ６である。前記通信ネットワーク１は、例えば、インターネット等の広域の通信ネットワーク１である。
【０００７】
この構成によると、従来例と同様に、通信機能付き測定器４で監視対象物５の振動などの測定を行い、その測定データをインターネット等の通信ネットワーク１経由で、サーバ等による診断装置２へ取り込み、保管することができる。また、初期に設定した閾値と比較を行って異常検知ができ、これを監視端末３で確認できる。
この場合に、監視端末３から通信機能付き測定器４へ測定サイクルを含む測定条件Ｆ１を測定制御手段１０へ送り、この指示に従って測定させ、かつ監視端末３から診断装置２へ診断条件Ｆ２を送り、この診断条件Ｆ２に従って診断させるようにしたため、工程変更等で同じ監視対象物５に使用条件や使用方法等の違いが生じ、異常と判断すべき程度に違いじ生じるようになっても、それらの違いに応じた測定条件Ｆ１および診断条件Ｆ２を監視端末３からの送信で行える。そのため、通信機能付き測定器４や診断装置２のソフトウェアの変更を行う必要がなく、監視対象物５の使用条件等に変更が生じても容易に対処して適切な測定および診断が行える。
【０００８】
この発明の監視システムにおいて、前記監視端末３が前記通信機能付き測定器４へ送信する前記測定条件指示情報Ｆ１として、測定を開始させる監視開始指示、前記測定サイクル、およびこの測定サイクル以外の任意の時点で前記測定を行わせる任意時測定指示を含み、前記監視端末３が前記診断装置２へ送信する前記診断条件Ｆ２に、前記診断手段１７による異常診断時に異常と判定する閾値を含むようにしても良い。
工程変更等で同じ監視対象物５に使用条件や使用方法等の違いが生じた場合に、主に変更が必要な事項は、測定サイクルおよび異常判定の閾値である。したがって、これら測定サイクルと閾値が監視端末３から送信して変更可能であると、監視対象物５の使用条件や使用方法等の違いの多くの場合に対応できる。また、測定を開始させる監視開始指示が監視端末３で行えれば、管理上で便利となる。さらにこの例では、測定サイクルで定められた通常の測定タイミング以外に、任意時測定指示を監視端末３で行い、現在の状況を確認することができるため、監視対象物５の状況を把握し易くなる。
【０００９】
この発明の監視システムにおいて、前記監視端末３は、前記各通信機能付き測定器４に付された識別情報を含む診断結果要求信号を前記診断装置２へ送信する診断結果要求手段２６を有し、前記診断装置２の前記診断結果送信手段１８は、前記診断結果要求信号の前記識別情報で特定される通信機能付き測定器４からの測定データについての診断結果を前記監視端末３へ送信するようにしても良い。
この構成とすることにより、管理者が知りたい希望の監視対象物５についての診断結果を監視端末３から指示して得ることができる。この場合に、各監視対象物５はＩＤ番号等の識別情報で各監視対象物５を区別するため、監視対象物５の区別が確実かつ簡単に行える。
【００１０】
この発明の監視システムにおいて、前記監視端末３の前記測定指示手段２４および前記診断条件指示手段２５は、入力されたキーワード（すなわちパスワード）が許可条件に合致するか否かを確認し、合致する場合にのみ、前記測定条件指示情報Ｆ１の変更、および前記診断条件Ｆ２の変更を許可するようにしても良い。
このようにキーワード入力で測定条件指示情報Ｆ１の変更、および前記診断条件Ｆ２の変更を許可するようにすることで、キーワードを知っている特定の管理者のみが監視端末３から変更を行える。そのため、診断の管理の信頼性を確保することができる。
【００１１】
この発明の診断装置２は、互いに通信ネットワーク１を介して監視端末３、および複数の通信機能付き測定器４に接続される診断装置２であって、
前記通信機能付き測定器４から送られた測定データを受信して保存する測定データ受信手段１６と、この保存された測定データにより前記監視対象物５の異常診断を設定された診断条件に応じて行う診断手段１７と、前記設定診断条件を前記監視端末３から送られた診断条件Ｆ２によって変更可能な診断条件変更手段１９と、前記診断手段１７による診断結果を前記監視端末３へ送る診断結果送信手段１８とを有する、ことを特徴する。
この構成の診断装置２によると、この発明の監視システムにつき前述したように、監視端末３により測定条件および診断条件が容易に変更できて、監視対象物５の使用条件等に変更が生じても適切な測定および診断が行えるという効果が得られる。
【００１２】
この発明の監視端末３は、互いに通信ネットワーク１を介して通信機能付き測定器４および診断装置２に接続された監視端末３であって、
測定条件指示情報Ｆ１を作成して前記通信機能付き測定器４へ送信する測定指示手段２４と、診断条件Ｆ２を作成して前記診断装置２へ送信する診断条件指示手段２５と、前記診断結果を前記診断装置２から受信して表示装置２３に表示させる診断結果受信手段２７とを有する、ことを特徴とする。
この構成の監視端末３によると、この発明の監視システムにつき前述したように、監視端末３により測定条件および診断条件が容易に変更できて、監視対象物５の使用条件等に変更が生じても適切な測定および診断が行えるという効果が得られる。
【発明の効果】
【００１３】
この発明の監視システムは、互いに通信ネットワークを介して接続された診断装置、監視端末、および複数の通信機能付き測定器を備え、前記各通信機能付き測定器は、監視対象物の状態を測定する測定用センサと、この測定用センサによる測定を設定された測定サイクル毎に行わせかつ前記測定サイクルを含む測定条件を測定条件指示情報によって変更可能な測定制御手段と、前記測定用センサで測定した測定データを前記診断装置へ送信しかつ前記監視端末から前記測定条件指示情報を受信して前記測定制御手段へ渡す通信処理手段とを有し、前記診断装置は、前記通信機能付き測定器から送られた測定データを受信して保存する測定データ受信手段と、この保存された測定データにより前記監視対象物の異常診断を設定された診断条件に応じて行う診断手段と、前記設定診断条件を前記監視端末から送られた診断条件によって変更可能な診断条件変更手段と、前記診断手段による診断結果を前記監視端末へ送る診断結果送信手段とを有し、前記監視端末は、前記測定条件指示情報を作成して前記通信機能付き測定器へ送信する測定指示手段と、前記診断条件を作成して前記診断装置へ送信する診断条件指示手段と、前記診断結果を前記診断装置から受信して表示装置に表示させる診断結果受信手段とを有するため、監視端末により測定条件および診断条件が容易に変更できて、監視対象物の使用条件等に変更が生じても適切な測定および診断が行えるという効果が得られる。
【００１４】
監視端末から前記測定条件指示情報として、測定サイクル以外の任意の時点で前記測定を行わせる任意時測定指示を行えるようにした場合は、任意時に現在の状況の確認として監視端末の指示により測定が行える。
キーワードの入力で測定条件および診断条件の変更を許可するようにした場合は、特定管理者のみが変更の指示を行えて、診断の管理の信頼性を確保することができる。
【００１５】
この発明の診断装置は、互いに通信ネットワークを介して監視端末、および複数の通信機能付き測定器に接続される診断装置であって、前記通信機能付き測定器から送られた測定データを受信して保存する測定データ受信手段と、この保存された測定データにより前記監視対象物の異常診断を設定された診断条件に応じて行う診断手段と、前記設定診断条件を前記監視端末から送られた診断条件によって変更可能な診断条件変更手段と、前記診断手段による診断結果を前記監視端末へ送る診断結果送信手段とを有するため、監視端末により測定条件および診断条件が容易に変更できて、監視対象物の使用条件等に変更が生じても適切な測定および診断が行えるという効果が得られる。
【００１６】
この発明の監視端末は、互いに通信ネットワークを介して通信機能付き測定器および診断装置に接続される監視端末であって、測定条件指示情報を作成して前記通信機能付き測定器へ送信する測定指示手段と、診断条件を作成して前記診断装置へ送信する診断条件指示手段と、前記診断結果を前記診断装置から受信して表示装置に表示させる診断結果受信手段とを有するため、監視端末により測定条件および診断条件が容易に変更できて、監視対象物の使用条件等に変更が生じても適切な測定および診断が行えるという効果が得られる。
【図面の簡単な説明】
【００１７】
【図１】この発明の一実施形態に係る監視システムの概念構成と作用を示す説明図である。
【図２】同監視システムの概念構成のブロック図である。
【発明を実施するための形態】
【００１８】
この発明の一実施形態を図１および図２と共に示す。図１において、この監視システムは、互いに通信ネットワーク１を介して接続された診断装置２、監視端末３、および複数の通信機能付き測定器４により構成される。図１に示した各文言は、これら診断装置２および監視端末３が備える手段や処理の概要を示す。
【００１９】
通信ネットワーク１は、インターネット等の広域のコンピュータ通信網である。通信機能付き測定器４は、監視対象物５を測定する機器である。監視対象物５は、軸受やモータ等の機械部品であり、より具体的には、例えば工作機械の主軸軸受等である。監視対象物５は、風力発電装置における主軸軸受、ナセル旋回支持用の軸受、増速機の軸受、増速機の歯車伝達部等であっても良い。図２の例では、複数の通信機能付き測定器４は、ルータとモデム等からなる通信制御装置３１に互いに共通のＬＡＮ（ローカルエリアネットワーク）で接続され、通信制御装置３１を介して前記インターネットからなる通信ネットワーク１に接続されている。前記ＬＡＮは、有線式であっても、無線式であっても、有線と無線を組み合わせた構成であっても良い。また、前記通信制御装置３１は、独立した固定式のルータとモデムに限らず、各通信機能付き測定器４とＷｉＦｉなどで無線通信を行い、通信ネットワーク１に対しては移動体通信、いわゆる携帯通信を行う携帯通信端末であっても良い。この通信制御装置３１となる携帯通信端末は、データ通信専用の端末の他に、Bluetooth（登録商標）などで各通信機能付き測定器４と無線通信を行い、通信ネットワーク１に対して移動体通信を行う機能を備えスマートフォン等の携帯電話であっても良い。このＬＡＮで接続された複数の通信機能付き測定器４は、例えば一つの工場、または共通の敷地等に設置された監視対象物５を測定するものである。なお、このようなＬＡＮで接続された複数の通信機能付き測定器４の組は、図１では１組だけ示しているが、複数組が通信ネットワーク１１に接続されていても良い。また、通信機能付き測定器４が単独で通信ネットワーク１に接続されていても良い。
【００２０】
図２に示すように、通信機能付き測定器４は、測定用センサ６、情報処理手段７、通信装置８、および電源装置９を備える。測定用センサ６は、例えば監視対象物５の振動を測定する振動センサであり、この例ではアナログ信号の測定データを出力する。測定用センサ６は、アコースティックエミッションを測定するＡＥセンサや、温度センサであっても良く、また一つの通信機能付き測定器４に前記の複数種類のセンサを備えていても良い。通信装置８は、通信ネットワーク１と接続する機器である。
情報処理手段７は、マイクロコンピュータ等により構成され、測定制御手段１０、通信処理手段１１、記憶手段１２、およびＡ／Ｄ変換器１３を有する。
【００２１】
測定制御手段１０は、測定用センサ６による測定を設定された測定サイクル毎に行わせ、かつ前記測定サイクルを含む測定条件を測定条件指示情報Ｆ１によって変更可能な手段である。測定条件指示情報Ｆ１は、この例では、前記測定サイクルと、測定を開始させる監視開始指示、前記測定サイクル以外の任意の時点で測定を行わせる任意時測定指示を含む。測定サイクルは、例えば、例えば数分、数時間、１日毎など、任意に設定される。１回の測定において測定を続ける時間は、測定制御手段１０等に定められた一定の時間であっても、また、この測定を続ける時間も前記測定条件指示情報Ｆ１に含むようにしても良い。  例えば、測定制御手段１０は、タイマー（図示せず）を内蔵し、常時はスリープ状態にあり、設定された事項に至ると、自動起動して測定用センサ６に計測させて、通信処理手段１１に測定データを診断装置２へ転送させ、再びスリープ状態に入るものとしても良い。
【００２２】
通信処理手段１１は、測定用センサ６で測定した測定データを、通信装置８を介して診断装置２へ送信しかつ監視端末３から送信された前記測定条件指示情報Ｆ１を、通信手段８で受信して測定制御手段１０へ渡す処理を行う手段である。このとき、測定用センサ６の出力するアナログデータの測定データは、Ａ／Ｄ変換器１３でディジタルデータに変換して通信ネットワーク１へ送信する。信処理手段１１は、この測定データの送信時に、記憶手段１２に記憶されたＩＤ番号からなる識別情報ＩＤを付して送信する。通信処理手段１１による測定情報の送信は、測定を行う毎に行うようにしても、また診断装置２または監視端末３からの要求信号に応答して行うようにしても良い。前記識別情報ＩＤは、前記監視対象物５を識別する情報であり、通信機能付き測定器４を識別する情報でもある。
【００２３】
記憶手段１２は、前記識別情報ＩＤと測定情報ＩＤを記憶する。測定用センサ６で記憶した情報を記憶しておいて必要時に送信する場合は、その測定データの記憶にも記憶手段１２が用いられる。
【００２４】
診断装置２は、サーバとなるコンピュータであり、通信ネットワーク１と通信を行う通信装置１４と、情報処理手段１５とを備える。情報処理手段１５は、測定データ受信手段１６、診断手段１７、診断結果送信手段１８、記憶手段１９、および診断条件変更手段２０を有する。情報処理手段１５を構成する記憶手段２０を除く各手段１６〜１９は、診断装置２を構成するコンピュータと、このコンピュータのＯＳ（オペレーションプログラム）上で実行されるアプリケーションプログラム（図示せず）とによって構成される。
【００２５】
測定データ受信手段１６は、通信機能付き測定器４から送られた測定データを受信して記憶手段１９に保存する手段であり、前記識別情報ＩＤ毎に分けて保存する。
【００２６】
診断手段１７は、測定データのデータ処理、すなわち前記測定データにより監視対象物５の異常診断を、設定された診断条件Ｆ２に応じて行う手段である。この診断は、前記測定データが振動測定データの場合、例えばＦＦＴ（周波数分析）等で振動分析し、閾値より大きい周波数の値が生じた場合、軸受の不具合部位の推定を行うことや、閾値によるＯＡ（オーバーオール）値判定等で異常診断を行う。診断手段１７は、上記周波数分析による振動分析に限らず、その他の方法で異常診断を行うものであっても良い。
【００２７】
診断条件変更手段１９は、診断手段１７で用いる設定診断条件を、監視端末３から送られた診断条件Ｆ２によって変更させる手段である。この診断条件Ｆ２には、異常判定用の閾値と、監視対象物５の使用条件と、監視対象物５の仕様（例えば監視対象物５が軸受である場合は軸受仕様）とが含まれる。前記「使用条件」は、例えば軸受の回転速度や、軸受で負荷する荷重等である。軸受仕様は、軸受種類、軸受の主要寸法、軸受諸元、シールの形式、保持器の形式等である。診断手段１７は、これらの診断条件Ｆ２に応じた各種の計算、診断を行うデータ処理を行うものとされている。診断手段１７により診断した診断結果は、前記識別情報ＩＤ毎に分けて前記記憶手段２０に記憶させる。
【００２８】
診断結果送信手段１８は、診断手段１７による診断結果を監視端末３へ通信装置１４を介して送る手段である。診断結果送信手段１８は、監視端末３から送信された診断結果要求信号に応答して診断結果を前記監視端末へ送る機能を有する。この場合に、前記診断結果要求信号に含まれる識別情報ＩＤで特定される通信機能付き測定器４からの測定データについての診断結果を、記憶手段１５に記憶された診断結果から選別して送信する。診断結果送信手段１８は、前記診断結果要求信号に応答する他に、診断が終了した時等に監視端末３へ診断結果を送信するものとしても良い。
【００２９】
監視端末３は、パーソナルコンピュータ等からなり、通信装置２１と、情報処理手段２２と、表示装置２３とを備える。通信装置２１は、通信ネットワーク１と通信する機器である。表示装置２３は、液晶ディスプレイ等の画像を表示する装置である。監視端末３は、この他にキーボードやマウス等の入力手段（図示せず）を有する。
情報処理手段２２は、監視端末３を構成するコンピュータのハードウェアと、このコンピュータのＯＳ上で実行されるアプリケーションプログラムである監視プログラム（図示せず）とによって、測定指示手段２４、診断条件指示手段２５、診断結果要求手段２６、および診断結果受信手段２７を構成したものである。
【００３０】
測定指示手段２４は、前記測定条件指示情報Ｆ１を作成して通信機能付き測定器４へ送信する手段である。測定条件指示情報Ｆ１は、前述のように監視開始指示、測定サイクル、および任意測定指示を含むが、これらはキーボード等の入力手段（図示せず）から入力可能であり、また記憶媒体（図示せず）等から読み取るようにしてもよい。
【００３１】
診断条件指示手段２５は、前記診断条件Ｆ２を作成して診断装置２へ送信する手段である。診断条件Ｆ２は、前述のように閾値、使用条件、および監視対象物仕様（軸受仕様）を含むが、これらはキーボード等の入力手段（図示せず）から入力可能であり、また記憶媒体（図示せず）等から読み取るようにしてもよい。
【００３２】
前記測定指示手段２４および診断条件指示手段２５は、いずれも、表示装置２３の画面にキーワードの入力を要求する画面を出力し、入力されたキーワードが許可条件に合致するか否かを確認して、合致する場合にのみ、前記測定条件指示情報の変更、および前記診断条件の変更を許可する。前記キーワードは、例えば英数字等である。前記許可条件は、必ずしも入力されたキーワードの全体が登録されたキーワードに合致しなくても良く、例えば入力されたキーワードに登録された文字列を含む場合に許可するようにしても良い。
【００３３】
診断結果受信手段２７は、前記診断結果を診断装置２から受信して表示装置２３の画面に表示させる手段である。
【００３４】
診断結果要求手段２６は、前記各通信機能付き測定器４に付された識別情報ＩＤを含む診断結果要求信号を診断装置２へ送信する手段である。この診断結果要求信号は、例えばキーボード等の入力手段からの入力よって作成し、かつ所定の入力によって送信させる。
【００３５】
監視端末３は、上記の他に、振動解析指示を診断装置２へ送信する振動解析指示手段２８を有し、診断装置２の診断手段１７は、前記振動解析指示によって、常時の異常診断よりも詳しい振動解析を行う機能を有している。例えば、振動解析指示手段２８は、ＦＦＴによる軸受異常部位の分析指示を監視端末３に対して行い、この指示によって監視端末３が診断装置２に振動解析してその結果を監視端末３へ送信した内容を表示装置２３に表示させる。
【００３６】
この構成の監視システムにおける操作および作用を説明する。まず、監視端末３にインストールしたアプリケーションプログラムを開き、監視対象物５の使用条件や内部仕様及び異常判定の閾値等の測定指示情報Ｆ１と、測定サイクル等の測定指示条件Ｆ１の入力を行い、測定指示条件Ｆ１の一部となる監視開始指示を行う。これにより、監視対象物５に取り付けた識別情報ＩＤを有する通信機能付き測定器４が、定期的に監視対象物の振動等の測定データ取り込み、インターネット等の通信ネットワーク１を経由してサーバからなる診断装置２へ送る。
【００３７】
診断装置２では、インストールされたアプリケーションプログラムにより、これらの測定データおよび診断情報Ｆ２を識別情報ＩＤ毎に識別してデータ保存し、診断手段１７によるデータ処理として、軸受仕様・軸受使用条件等の情報及び閾値等の診断条件Ｆ２をもとに計算し、異常判定する。異常判定した結果は監視端末３へ報告・表示させて監視対象物５の異常監視を行う。
【００３８】
また、監視対象物５の稼働方法変更等の変更が生じ、閾値、測定サイクル、使用条件等の変更が必要になった場合には、キーワードを知っている特定の人が監視端末３からアプリケーションプログラムを立ち上げて行う。また、このアプリケーションプログラムにより、異常判定が出た場合などに振動解析指示を診断装置２へ行い、分析させることことや、監視者が確認したい時に任意に監視端末３から測定指示を行うことで測定及び異常判定を行わせることができる。
【００３９】
この監視システムによると、上記のように、従来のように通信機能付き測定器４で監視対象物５の振動などの測定を行い、このデータをインターネット経由でサーバからなる診断装置２へ取り込み保管することや、初期に設定した閾値と比較を行い異常検知ができ、これを監視端末３で確認することができる。
また、キーワード入力を必要とすることで、特定管理者のみが、監視対象物５の閾値を変更することができ、また通常の測定タイミング以外にも監視端末３で任意の時に測定させることができ、監視対象物５の状況を確認することができる。
【００４０】
この監視システムによると、監視対象物５の異常検知のための閾値をシステム開始後からでもユーザでも変更することが可能なため、監視対象物５の使用条件が変化し異常判断のレベルが変化するような事態が発生するような場合でもソフトの書き換えを行うことなく、容易に対応可能となる。
この閾値変更においてはキーワード入力で行うようにするため、このキーワードを知っている特定管理者のみが行え、したがって閾値を不用意に変更することなく管理することが可能となる。
また、この監視システムは、設定を行ったサイクルで監視対象物５の測定を行い、サーバからなる診断装置２でデータ保管を行い、更に閾値比較により監視対象物の異常検知を行うが、この測定タイミング以外にも監視端末３から測定指示を送ることで、現状の状況を確認することができるため監視対象物５の状況を把握し易くなる。
【符号の説明】
【００４１】
１…通信ネットワーク
２…診断装置
３…監視端末
４…通信機能付き測定器
５…監視対象物
６…測定用センサ
１０…測定制御手段
１１…通信処理手段
１６…測定データ受信手段
１７…診断手段
１８…診断結果送信手段
２０…診断条件変更手段
２４…測定指示手段
２５…診断条件指示手段
２６…診断結果要求手段
２７…診断結果受信手段
Ｆ１…測定条件指示情報
Ｆ２…診断条件
【図１】
2014225080.tif 000003
【図２】
2014225080.tif 000004